(57)【要約】      （修正有）【課題】配電基板等の筐体へ使用される接地用端子台の製造において、基板に対する接続板のロウ付けを強固で効率的なものとする。【解決手段】アース端子接続用のネジ穴を有する接地用端子台であって、筐体へ取り付けられて主に電流を流す金属製の基板１と、主に電流を受ける金属製の接続板２とを備え、接続板２は基板１と別体に形成されたものであり、接続板２を基板１へロウ付けするに際して、基板１と接続板２との間に１つ又は複数のロウ材６０を挟んだ状態に配置し、加熱炉で加熱することにより前記ロウ材６０を融解させ、基板１へ接続板２をロウ付けする。【選択図】図２
2018039020.tif 000002
【特許請求の範囲】
【請求項１】
アース端子接続用のネジ穴を有し且つ配電盤等の電気設備を収容する筐体に取り付けられて前記電気設備に帯電した電気を前記筐体へ逃がすのに使用される接地用端子台であって、前記接地用端子台は、主に電流を受ける金属製の接続板と、前記筐体へ取り付けられて主に電流を前記筐体へ流す金属製の基板とを備え、前記接続板は前記基板と別体に形成されたものであり、前記接続板を前記基板へロウ付けする接地用端子台の製造方法において、
前記基板と前記接続板との間に１つ又は複数のロウ材を挟んだ状態に配置し、加熱炉で加熱することにより前記ロウ材を融解させ、前記基板へ前記接続板をロウ付けする接地用端子台の製造方法。
【請求項２】
前記加熱炉に水素炉を用い、
前記接続板に銅又は銅合金を採用し、
前記基板に鉄又は鉄合金を採用し、
前記ロウ材にリン青銅を採用し、
前記基板の上に前記ロウ材を乗せた後前記ロウ材の上に前記基板を置くことにて、前記基板と前記接続板との間へ前記ロウ材を挟み、前記加熱により前記ロウを融解させて前記ロウ付けを行う請求項１記載の接地用端子台の製造方法。
【請求項３】
前記接続板に、前記接続板を上下に貫通する１つ又は複数の貫通穴を設け、
前記基板を、前記ロウ材及び接続板を乗せる板部と、前記板部と一体に形成された少なくとも２つの脚部とを備えるものとし、
前記板部に、前記板部を上下に貫通する１つまたは複数の貫通孔を設け、
前記脚部の夫々を、互いの間に間隔を隔てて前記板部の下方側へ突出するものとし、前記各脚部の先端が前記筐体への取り付け部分をなすものとし、前記脚部同士の間へ、前記板部の下面における前記貫通孔の開口部を配置しておき、
前記板部の上面における前記貫通孔の開口部を取り囲むよう、前記板部上に前記ロウ材を配置し、
板部の上に乗せられた前記ロウ材の上に前記接続板を乗せて前記貫通穴と前記貫通孔とへ、固定治具としてロウ付けできない素材で形成された軸を通すことにより、前記ロウ付け中前記基板に対し前記接続板の位置がずれることを抑制する請求項２記載の接地用端子台の製造方法。
【請求項４】
前記固定治具はセラミック製とし、且つ、前記固定治具には前記軸の一端に前記軸より径の大きな頭部を有するものを採用し、
前記貫通孔の径を前記貫通穴の最大径部の径より大きいものとし、
前記軸を前記貫通穴へ通し前記頭部を前記貫通孔へ嵌め合わせる請求項３記載の接地用端子台の製造方法。
【請求項５】
前記ロウ材を略環状に形成し、個々の前記貫通孔の開口部へ略環状の前記ロウ材の中空部分が対応するように前記ロウ材を前記板部の上面に配置するものであり、
前記ロウ付け後少なくとも一部の前記貫通穴に雌ネジを形成し、当該貫通穴を、接地用端子台の製造後アース端子接続用の前記ネジ穴として使用するものである請求項３又は４記載の接地用端子台の製造方法。
【請求項６】
アース端子接続用のネジ穴を少なくとも２つ有し、配電盤等の電気設備を収容する筐体に取り付けられて前記電気設備に帯電した電気を前記筐体へ逃がすのに使用されるものであって、主に電流を受ける金属製の接続板と、前記筐体へ取り付けられて主に電流を前記筐体へ流す金属製の基板とを備え、前記接続板は前記基板へロウ付けされたものである接地用端子台において、
前記基板と前記接続板との間に、ロウ付けされたロウ付け部分を有し、
前記接続板と前記基板の双方を上下に貫通する、２つ以上の貫通部を備え、前記貫通部の少なくとも前記接続板内の区間が前記ネジ穴をなすものであり、
前記ロウ付け部分は、少なくとも前記両貫通部間に備えられたものであることを特徴とする接地用端子台。
【発明の詳細な説明】
【技術分野】
【０００１】
本願発明は、接地用端子台及びその製造方法に関するものであり、詳しくは、配電盤等の電気設備を収容する筐体に取り付けられて、筐体内部へ収容される電気設備をアースするのに使用される接地用端子台及びその製造方法に関する。
【背景技術】
【０００２】
配電盤等の電気設備を収容する筐体には、筐体に収容された電気設備をアースするために、接地線（アース線）が接続される。この接続のために筐体には接地用端子台が溶接にて取り付けられ、当該接地用端子台へボルトにて上記接地線の端子即ちアース端子が接続されるのである。
接地用端子台は、上記ボルトを取り付けるネジ穴を備えるものであり、接地用端子台として鉄製の基板へ銅又は銅合金でできた接続板を固定したものが利用されている。
上記接続板は電気設備に帯電した電流を受けるものであり、上記基板は接続板が受けた電流を筐体へ流すものである。
接地用端子台には、上記接続板と基板の双方を上下に貫通する、２つの以上の貫通部が設けられている。貫通部は上記ボルトを取り付けるために設けられ、当該貫通部がタップ加工によりアース端子接続用の上記ネジ穴とされる。
接地用端子台について、より詳しくは、上記基板は平らな板部と当該板部へ一体に形成された脚部とを備え、板部の上面へ上記接続板がロウ付けされるものであり、脚部は板部の側部から下方へ突出する。
接地用端子台は使用の際に当該脚部の先端（下端）が上記筐体へ溶接にて固定される。
製造時における上記基板への接続板の接続は、従来、１）特許文献１の図７及び段落番号０００２に示されるロウ付けにて溶接する方法と、２）当該特許文献１の請求項１、段落番号０００５及び図１〜図６へ示される圧搾変形部を形成して物理的に固定する方法とが知られている。
【０００３】
上記２）の方法では、ロウ付けの工程は不要であるが、圧搾変形部を形成する工程が必要である。
【先行技術文献】
【特許文献】
【０００４】
【特許文献１】特許第５５３０５１０号公報
【発明の概要】
【発明が解決しようとする課題】
【０００５】
上記２）の圧搾変形部を形成する方法を避け上記１）のロウ付けを採用する場合、次の問題がある。
【０００６】
先ず、第１の問題について説明する。
上記ロウ付けは、図５（Ａ）（Ｂ）へ示す通り、上記基板ｔ１の上に上記接続板ｔ２を配置し、接続板ｔ２から基板ｔ１へ連続する、アース端子接続用のネジ穴ｔ３とされる前の貫通部へ、専用の軸を固定治具（図示しない。）として通して、基板ｔ１に対し接続板ｔ２がずれないように固定して行われる。尚図５（Ｂ）において、ｔ４は基板ｔ１の上記板部を示し、ｔ５は上記脚部を示している。
上記ロウ付けは、上記固定治具による固定後、線材である銀ロウ（ロウ材）をバーナー（ガストーチ）で炙りながら溶かして、図５（Ｂ）へ示すように接地用端子台の横方向（矢印方向）から接続板ｔ２を基板ｔ１へ固着するものであり、手間の掛かる非能率的な作業を強いられた。
【０００７】
第２の問題として、上記において銀ロウは、基板ｔ１と接続板ｔ２の間で接地用端子台の側部付近にのみ流れ込み、基板ｔ１と接続板ｔ２の間全体には行き渡らない。その結果、図５（Ｂ）中暗色で示す、接地用端子台の側部付近の領域ｒのみロウ付けされて、基板ｔ１と接続板ｔ２の間全体がロウ付けされた状態になっていない。具体的には、上記領域ｒよりも内側の中央の領域、例えば、複数設けられた上記ネジ穴ｔ３同士の間はロウ付けされていない状態（ロウ付け部分がない状態）となっている。
【０００８】
第３の問題は、上記の通りバーナーで炙るため接地用端子台の表面が焼け焦げて見た目が悪く、メッキ処理をして外観を整える必要のあることである。
特に、メッキ処理を行った場合、上記接続板と基板の間の隙間にメッキが溜まったり、ふくれ現象が生じることにて、ネジ穴ｔへアース端子側の雄ネジが通らない場合があるのでメッキ処理後再度のタップ加工が必要となる。
【０００９】
また、第４の問題として、上記第１の問題で説明した通り接地用端子台の側部付近の領域ｒのみロウ付けされ上記中央の領域はロウ付けで固着されていないので、上記貫通部ｔ３において接続板ｔ２のみならず基板ｔ１側の区間にもタップ加工により雌ネジを形成しておき、接続板ｔ２が基板ｔ１から外れないよう、使用時にアース端子を固定するボルトの雄ネジを接続板ｔ２と基板ｔ１の双方にねじ込めるようしておく必要があった。
【００１０】
本発明は、接地用端子台の製造において、接続板の基板への接続手段としてロウ付けを採用する場合における上記問題の解決を図るものである。
【課題を解決するための手段】
【００１１】
本発明では、アース端子接続用のネジ穴を有し且つ配電盤等の電気設備を収容する筐体に取り付けられて前記電気設備に帯電した電気を前記筐体へ逃がすのに使用される接地用端子台であって、前記接地用端子台は、主に電流を受ける金属製の接続板と、前記筐体へ取り付けられて主に電流を前記筐体へ流す金属製の基板とを備え、前記接続板は前記基板と別体に形成されたものであり、前記接続板を前記基板へロウ付けする接地用端子台の製造方法において、前記基板と前記接続板との間に１つ又は複数のロウ材を挟んだ状態に配置し、加熱炉で加熱することにより前記ロウ材を融解させ、前記基板へ前記接続板をロウ付けする接地用端子台の製造方法を提供する。
上記アース端子には、接地線が備える端子の他、接地線以外の電気の導体に設けられた端子、例えば接地用の金具が備える端子も含む。
上記電気設備は、上記筐体に収容されるものであればよく、配電盤の他、分電盤その他の電気設備を含み、当該電気設備を構成する電気機器や回路を含む。
また本発明では、前記加熱炉に水素炉を用い、前記接続板に銅又は銅合金を採用し、前記基板に鉄又は鉄合金を採用し、前記ロウ材にリン青銅を採用し、前記基板の上に前記ロウ材を乗せた後前記ロウ材の上に前記基板を置くことにて、前記基板と前記接続板との間へ前記ロウ材を挟み、前記加熱により前記ロウを融解させて前記ロウ付けを行う接地用端子台の製造方法を提供する。
尚、上記の鉄合金には、ステンレスやステンレス以外の鉄合金を含む。
更に本発明では、前記接続板に、前記接続板を上下に貫通する１つ又は複数の貫通穴を設け、前記基板を、前記ロウ材及び接続板を乗せる板部と、前記板部と一体に形成された少なくとも２つの脚部とを備えるものとし、前記板部に、前記板部を上下に貫通する１つまたは複数の貫通孔を設け、前記脚部の夫々を、互いの間に間隔を隔てて前記板部の下方側へ突出するものとし、前記各脚部の先端が前記筐体への取り付け部分をなすものとし、前記脚部同士の間へ、前記板部の下面における前記貫通孔の開口部を配置しておき、前記板部の上面における前記貫通孔の開口部を取り囲むよう、前記板部上に前記ロウ材を配置し、板部の上に乗せられた前記ロウ材の上に前記接続板を乗せて前記貫通穴と前記貫通孔とへ、固定治具としてロウ付けできない素材で形成された軸を通すことにより、前記ロウ付け中前記基板に対し前記接続板の位置がずれることを抑制する接地用端子台の製造方法を提供できた。
また更に本発明では、前記固定治具はセラミック製とし、且つ、前記固定治具には前記軸の一端に前記軸より径の大きな頭部を有するものを採用し、前記貫通孔の径を前記貫通穴の最大径部の径より大きいものとし、前記軸を前記貫通穴へ通し前記頭部を前記貫通孔へ嵌め合わせる接地用端子台の製造方法を提供する。
更にまた本発明では、前記ロウ材を略環状に形成し、個々の前記貫通孔の開口部へ略環状の前記ロウ材の中空部分が対応するように前記ロウ材を前記板部の上面に配置するものであり、前記ロウ付け後少なくとも一部の前記貫通穴に雌ネジを形成し、当該貫通穴を、接地用端子台の製造後アース端子接続用の前記ネジ穴として使用する接地用端子台の製造方法を提供できた。
上記ロウ材は完全な環状体即ちリングとして形成されたものに限定するものではなく、一部が切欠したＣ状のものであってもよく、このようなＣ字状のロウ材もここでは略環状に形成されたものとする。
また、本発明では、アース端子接続用のネジ穴を少なくとも２つ有し、配電盤等の電気設備を収容する筐体に取り付けられて前記電気設備に帯電した電気を前記筐体へ逃がすのに使用されるものであって、主に電流を受ける金属製の接続板と、前記筐体へ取り付けられて主に電流を前記筐体へ流す金属製の基板とを備え、前記接続板は前記基板へロウ付けされたものである接地用端子台において、前記基板と前記接続板との間に、ロウ付けされたロウ付け部分を有し、前記接続板と前記基板の双方を上下に貫通する、２つ以上の貫通部を備え、前記貫通部の少なくとも前記接続板内の区間が前記ネジ穴をなすものであり、前記ロウ付け部分が、少なくとも前記両貫通部間へ備えられた接地用端子台を提供する。
【発明の効果】
【００１２】
本発明は、配電盤等の電気設備を収容する筐体の主として底に取り付けられて、筐体内部へ収容される電気設備をアースするのに使用される接地用端子台の製造において、ロウ材を上記基板と接続板の間に挟み、加熱炉で加熱することにより、ロウ付けの際に従来必要とされた、線材である銀ロウをバーナーにて炙るという作業を排除し、生産性を向上させた。更に、生産される各接地用端子台の形状も均一で安定したものとすることができる。
また、本発明は、ロウ材を用いて、接続板を基板へより強固に固定できるものとした。
特に環状に形成されたロウ材を用いることにより、製造時に位置合わせ用の固定治具を通すための、或いは、使用時にアース端子固定用のボルトを受けるため後にネジ穴とされる貫通部の周囲へ、ロウ材を簡単に配置でき、偏りの少ない強固なロウ付けを簡単に行うことができる。
即ち本発明は、上記接続板と基板の間全体をロウ付けできるものとしたのである。特に、上記接続板と基板の間において、前記貫通部同士の間もロウ材にてロウ付けされた接地用端子台を提供できるものとした。
また、従来のようにバーナーで炙ってロウ付けを行わないことで、接地用端子台表面の焼き焦げを無くし、接地用端子台表面へメッキを施す必要性を無くした。このため、需要者のニーズによってメッキ処理を施さない製品を生産することができる。またメッキ処理を不要とすることで、貫通部（上記貫通穴や貫通孔）の再度のドリル加工やタップ加工を不要とした。
また上記焼き焦げによるメッキの必要性以外に、従来ロウ材として用いた銀ロウに代えてリン青銅をロウ材として用いることで錆の発生を抑え、錆を抑える面でのメッキの必要性も無くすことができた。
更に、上記の通り製造時に接続板を基板へより強固に固定できるものとしたことで、ロウ付け後貫通部の接続板側と基板側との間のずれを修正するために、接続板を基板へ固定するための手段を必要とせずに、ドリルにて貫通部を浚うことができ更に浚った貫通部の接続板側と基板側の夫々にタップ加工を施すことができる。
また、接続板を基板へより強固に固定できるものとしたため、端子接続用のネジ穴形成において、接続板側にのみタップ加工を施して雌ネジを形成し、基板側にはタップ加工せずに即ち雌ネジを設けずに済ますことができ、当該タップ加工の工程を省略できる。
上記のドリル加工やタップ加工の省略により、本発明では、工程の簡略化を図ることができ、コストダウンを可能とした。
【図面の簡単な説明】
【００１３】
【図１】（Ａ）は本発明に係る接地用端子台に用いられる基板の平面図、（Ｂ）は（Ａ）の側面図、（Ｃ）は（Ａ）のＸ−Ｘ断面図、（Ｄ）は（Ａ）の基板の変更例を示す側面図、（Ｅ）は上記接地用端子台に用いられる接続板の平面図、（Ｆ）は（Ｅ）のＹ−Ｙ断面図。
【図２】（Ａ）は、本発明に係る上記接地用端子台の製造に用いられるロウ材の平面図、（Ｂ）は（Ａ）のロウ材を、図１（Ａ）の基板上面へ配置した状態を示す平面図、（Ｃ）は（Ｂ）のＺ−Ｚ断面図、（Ｄ）は（Ｃ）の基板上のロウ材の上に図１（Ｅ）（Ｆ）へ示す接続板を乗せた状態を示す断面図。
【図３】（Ａ）は図２（Ｄ）へ示す組上品へ基板と接続板の位置合わせのための固定治具を取り付けた状態を示す断面図、（Ｂ）は（Ａ）の変更例を示す断面図、（Ｃ）は上記固定治具について更に他の変更例を示す斜視図、（Ｄ）は（Ａ）又は（Ｂ）へ示すように固定治具が取り付けられた基板と接続板の組品を順次水素炉にて加熱する状態を示す説明図。
【図４】（Ａ）は図３（Ｄ）の水素炉にてロウ付けされた一体品の断面図、（Ｂ）は（Ａ）の一体品をタップ加工して完成した接地用端子台の断面図、（Ｃ）は接地用端子台の他の実施の形態を示す断面図。
【図５】（Ａ）は従来のロウ付けにて作成された接地用端子台の平面図、（Ｂ）は（Ａ）のＷ−Ｗ断面図。
【発明を実施するための形態】
【００１４】
以下、図面に基づき本願発明の実施の形態について説明する。
（接地用端子台ｔの基本構成）
この接地用端子台ｋは、配電盤等の電気設備を収容する筐体（図示しない。）内側へ取り付けられる。接地用端子台ｔは、主として筐体の底へ、溶接にて取り付けられるのである。接地用端子台ｔに接地線の端子（図示しない）が接続されて、筐体へ収容された上記電気設備をアースする。
【００１５】
図４（Ｂ）へ示す通り、この接地用端子台ｋは、夫々電気の良導体である、基板１と、接続板２と、ロウ付け部分６とを備える。接続板２は主として筐体内の電気設備に帯電し接地線を通じて流れてきた電流を受けるものであり、基板１は主として受けた電流を筐体へ流すものである。
基板１は、鉄又はステンレスなどの鉄合金で形成されたものであり、板部４と板部４の側部から下方へ伸びる一対の脚部５とからなる。板部４は上面が平らに形成されている。脚部５の夫々は、基板１と一体に形成され、基板１の側端から下方へ伸びる。脚部５の先端が上記筐体へ溶接にて取り付けられる取り付け部をなす。
上記接続板２が、基板１の板部４の上に、ロウ材としてリン青銅を用いロウ付けされたロウ付け部分６を介して設けられている。
接地用端子台ｔには、夫々板部４を上下に貫通すると共に板部４と連続して接続板２を上下に貫通する、２本の貫通部３０が設けられている。図４（Ｂ）へ示す例では、貫通部３０はネジ穴３である。即ち、貫通部３０の接続板２の区間（接続穴３２）と基板１の区間（貫通孔３１）とに雌ネジが連続して設けられている。雌ネジを備える上記ネジ穴３には、接地線の端子即ちアース端子を固定するボルトの軸を螺合することができる（図示しない）。
ロウ付け部分６は、接地用端子台ｔの平面視において、両ネジ穴３を取り囲むと共に、両ネジ穴３の間にも配置されている。このため、ロウ付け部分６は、基板１へ接続板２を強固に固定する。
この例でロウ付け部分６は、図４（Ｂ）へ暗色で示す通り、接続板２の下面のほぼ全面と板部４上面との間に設けられ、基板１へ接続板２をより強固に固定している。
【００１６】
（接地用端子台ｔの製造方法）
次に上記接地用端子台ｔの製造方法を例示する。
この方法は、基板形成工程ａと、接続板形成工程ｂと、ロウ材配置工程ｃと、ロウ付け部分形成工程ｄと、ずれ修正工程ｅと、タップ加工工程ｆとを遂行する。また、長期の材料管理などの必要に応じて、上記工程後、メッキ処理工程ｇを遂行するものとしても実施できる。
【００１７】
（基板形成工程ａ）
基板形成工程ａにおいて、プレス加工装置（図示しない。）にて鉄又はステンレス製の金属板をプレス加工し、上記基板１を形成する。プレス加工する鉄又はステンレス製の金属板には、予め当該金属板を表裏に貫通する貫通孔３１を設けておき、プレス加工によって、図１（Ａ）〜（Ｃ）へ示す通り、上記板部４と脚部５を備えた基板１を形成する。上記プレス加工において、貫通孔３１は板部４に備えられるよう加工する。即ち貫通孔３１は板部４をその上面から下面へかけて貫通するように配置される。
貫通孔３１の径は、従来の貫通孔３１より１ｍｍ前後大きくするのが好ましい。
また、この例では、板部４を平面視矩形状に形成し、上記脚部５を当該矩形の対向する一対の辺の夫々から下方へ向けて伸びるように形成している。図１（Ｂ）（Ｃ）へ示す通り、２つの脚部５は、板部４の左右の夫々に１つ設けられている。但し板部５には４つの脚部５が設けられるものとし、板部４の左右の夫々に２つ設けられるものとしても実施できる。脚部４を板部４の左右に２つ設ける場合、図１（Ｄ）へ示す通り、板部４の左側の２つの脚部４同士は前後に間隔をあけ、板部４の右側の２つの脚部４同士も前後に間隔をあけて配置されるものとするのが好ましい。
後に説明するロウ材配置工程ｃにおいて、融解したロウ材６０が板部５上を偏って流れないように、平らな面へ基板１を乗せた際板部４が水平となるよう脚部４の夫々を形成しておく。但し、ロウ付け部分形成工程ｄにおいて、融解したロウ材が毛細管現象により、基板１と接続板２との間の隅々まで行き渡るのであれば、特に上記の水平とすることに限定するものではない。
【００１８】
（接続板形成工程ｂ）
接続板形成工程ｂにおいて、プレス加工装置（図示しない。）にて銅又は銅合金製の金属板をプレス加工し、図１（Ｅ）へ示す通り平面視矩形状に上記接続板２を形成する。プレス加工する銅又は銅合金製の金属板には予め当該金属板を表裏に貫通する貫通穴３２を設けておき、図１（Ｅ）（Ｆ）へ示す通り、接続板２に貫通穴３２が備えられるよう当該プレス加工を行う。即ち貫通穴３２は接続板２をその上面から下面にかけて貫通する。
接続板形成工程ｂは、基板形成工程ａと並行して遂行するものとする。但し、接続板形成工程ｂは、基板形成工程ａに続いて、或いは基板形成工程ａより先に遂行するものとしてもよい。
【００１９】
（ロウ材配置工程ｃ）
ロウ材配置工程ｃにおいて、図２（Ａ）へ示す環状に形成されたリン青銅製のロウ材６０を、図２（Ｂ）（Ｃ）へ示す通り、基板形成工程ａにて形成された基板１の板部４の上に乗せる。図２（Ｂ）へ示す通り、平面視において、環状のロウ材６０の中空部分６１が貫通孔３１と対応し貫通孔３１の開口部と重なるように、ロウ材６０を板部４上面に配置する。環状の上記ロウ材６０を用いることによって、板部４上面にて貫通孔３１の開口部を取り囲むようにロウ材６０を簡単に配置することができる。この例では、基板１は貫通孔３１を２つ備えるので、ロウ材６０を２つ用意し、貫通孔３１の上記開口部の夫々を取り囲むように各ロウ材６０を配置している。
板部４上面へ図２（Ｂ）（Ｃ）へ示す通りロウ材６０を配置した後、図２（Ｄ）へ示す通り、貫通穴３２が環状のロウ材６０の中空部分６１と板部４の貫通孔３１と重なるように、接続板２をロウ材６０の上に乗せる。
以下説明の便宜上、図２（Ｄ）へ示すロウ付け前の、基板１へロウ材６０と接続板２を重ねたものを組上品ｋと呼ぶ。
【００２０】
次のロウ付け部分形成工程ｄでの処理で基板１に対する接続板２の位置がずれることを防ぐために、組上品ｋには、図３（Ａ）へ示す通り、固定治具ｊを取り付けておく。固定治具ｊは、軸部ｊ１と、軸部ｊ１より径の大きな頭部ｊ２とを備える。軸部ｊ１は貫通穴３２とロウ材６０と貫通孔３１とへ通される。頭部ｊ２は軸部ｊ１の一端に設けられており、軸部ｊ１が脱落しないように固定治具ｊへ座面を提供するものである。
固定治具ｊには、ロウ材６０にてロウ付けできない素材にて形成されたものを採用する。この例では、固定治具ｊにはセラミックを採用する。但し、次のロウ付け部分形成工程ｄでロウ付けされることがないものであれば、セラミック以外の素材でできた固定治具ｊを用いるのを制限するものではない。
固定治具ｊの軸部ｊ１は、ロウ材６０の融解により接続板２が自重で基板１側へ下がるのを阻害するものではない。即ち上記軸部ｊ１の径は貫通孔３１及び貫通穴３２の径の夫々よりも若干小さい。
【００２１】
（ロウ付け部分形成工程ｄ）
ロウ付け部分形成工程ｄにおいて、図３（Ｄ）へ示す通り、コンベアｎを備えた加熱炉ｍ内へ、固定治具ｊが取り付けられた上記組上品ｋを順次移動させる。加熱炉ｍには水素雰囲気内で組上品ｋを加熱する水素炉を採用する。
上記コンベアｎへ組上品ｋを乗せ、加熱炉ｍの入り口側から出口側へ向け加熱炉ｍ内で組上品ｋを順次移動させる。加熱炉ｍはヒーター（図示しない。）による加熱にて、加熱炉ｍ内の水素雰囲気中組上品ｋのロウ材６０を融解させる。加熱炉ｍは、基板１及び接続板２の融解温度より低い温度であることを前提に、ロウ材６０の融解温度以上に組上品ｋを加熱することができる。ロウ材６０をリン青銅とするこの例では、加熱炉ｍで摂氏１１００度に加熱することでロウ材６０を融解させる。但し、このような温度設定は、ロウ材６０の材料に応じて変更することができる。
加熱炉ｍ内において、上記の通りコンベアｎにて組上品ｋを移動させる。組上品ｋが上記ヒーターのある加熱区間を通過することにて、ロウ材６０は上記の通り融解する。組上品ｋがコンベアｎにて上記過加熱区間を通過した後、周囲の温度の低下によりロウ材６０が凝固し、凝固後基板１と接続板２との間にロウ付けされた上記ロウ付け部分６が形成される。ロウ付け部分６において、上記融解したロウ材（リン青銅）の拡散層が形成されており、基板１へ接続板２が固着される。ロウ付け部分６は、接続板２を基板１へ確実に固着できるものであればよく、ロウ付け部分６全体が拡散層として形成されたものの他、ロウ付け部分６の一部のみ拡散層とされ他の部分はロウ材（リン青銅）がそのまま凝固した状態となっているもの、或いは拡散層は形成されずにロウ材が凝固してロウ材層を形成するものであってもよい。
基板１への接続板２の固着後、組上品ｋであったものを加熱炉ｍから取り出し、固定冶具ｊを外す。組上品ｋであったものは、ロウ付け部分形成工程ｄを経て、図４（Ａ）へ示す一体品ｐとされる。一体品ｐにおいて、接続板２の貫通穴３２へ基板１の貫通孔３１が連続し、貫通穴３２と貫通孔３１とが１本の貫通部３０を構成する。
【００２２】
（ずれ修正工程ｅ）
ずれ修正工程ｅにおいて、ボール盤などのドリル加工装置（図示しない。）により、一体品ｐの上記貫通部３０をドリルで浚い、貫通穴３２と貫通孔３１との間の位置ずれを修正する。修正により、貫通部３０における貫通穴３２の区間と貫通孔３１の区間とを同心とする。
【００２３】
（タップ加工工程ｆ）
ずれ修正工程ｅにてずれを修正した貫通部３０へ、タップ加工装置（図示しない。）にてタップ加工を行い、貫通部３０をボルト（図示しない）を取り付ける上記ネジ穴３とする。
上記一体品ｐがタップ加工工程ｆを経ることにて、図４（Ｂ）へ示す接地用端子台ｔが完成する。
【００２４】
（メッキ処理工程ｇ）
メッキ処理工程ｇにおいて、完成した接地用端子台ｔについて、更に外観を良くするために接地用端子台ｔ表面へメッキ処理を施す。但し、筐体へ接地用端子台ｔへ固定した後、塗装を施す場合など、需要者によってはメッキを不要とする場合もあるので、メッキ処理工程ｇは、需要者のニーズにより実施すれば良い。
特に、基板１は、電流を流す目的の他、筐体に溶接された後塗装される目的となる場合もある。
【００２５】
（変更例）
本発明の製造方法の実施によって、接続板２を基板１へ確実に固定することができるので、図４（Ａ）へ示す一体品ｐにおいて、接続板２の貫通穴３２にのみタップ加工を施し、図４（Ｃ）へ示す通り、設置用端子台ｔにおいて、基板１の貫通孔３１をネジ穴としない即ち雌ネジを形成しないものとしても良い。
【００２６】
また基板１の貫通孔３１をねじ穴としない場合、図３（Ｂ）へ示す通り、貫通孔３１を貫通穴３２よりも大きく浚って貫通孔３１を貫通穴３２より径（最大径）の大きなものとしておくことができる。図３（Ｂ）へ示す通り、上記にて径を貫通穴３２より大きくしている貫通孔３１へ、固定軸ｊの頭部ｊ２を嵌める、即ち固定治具ｊを図３（Ａ）と上下逆にして使用することができる。固定治具ｊを図３（Ｂ）のように使用することで固定治具ｊの軸部ｊ１を短く形成できる。
更に、図３（Ｃ）へ示す通り、固定治具ｊは、複数の軸部ｊ１に対し共通の頭部ｊ２を１つ有するものとすることにより、より確実に基板１に対する接続板２の位置決めを行うものとすることができる。図３（Ｃ）へ示す例では、頭部ｊ２を平面視矩形の板状に形成しているが、脚部５間に配置できるものであれば、他の形状を採用してもよい。図３（Ｃ）の例において、固定治具ｊの頭部ｊ２の厚みを基板１の脚部５の突出幅と同じか当該突出幅よりも大きなもとすることにより、固定治具ｊの上に基板１、ロウ材６０、接続板２を順に乗せてゆくことにより、簡単に組上品ｋを形成することができる。
【００２７】
ロウ材６０は、上記の通り環状に形成されて図２（Ｂ）へ示すよう、１つの貫通孔３１に１つ配置されるものに限定するものではない。複数に分割されたロウ材６０の夫々にて、個々の貫通孔３１を取り囲むように配置して実施することも可能である。例えばロウ材６０を複数の短い線材として、各線材で貫通孔３１の開口部を取り囲むように配置してもよいし、素材によっては１本の当該線材を曲げて環状のロウ材６０とするものであってもよい。
また、ロウ材６０を平面視略８の字を呈するように形成し、１つのロウ材６０で２つの貫通孔３１の周囲を取り囲むものとしても実施できる。また、基板１の貫通孔３１を３つ以上とした場合、ロウ材６０は、３つ以上のリングを連ねて一体とした形状としても実施できる。
ロウ材６０には、リン青銅が適するが、錆に対してメッキを施すなどの対策を採る場合は、銀ロウを採用してもよく、或いは、基板１や接続板２に用いた金属よりも融点が低く水素炉で融解することができる他の溶接材料を用いるものとしても実施できる。
【００２８】
上記各実施の形態において、接地用端子台ｔには、ネジ穴３（貫通部３０）を２つ備えたもの例示したが、ネジ穴３を３個以上備えるものとしても実施でき、またネジ穴３を１つのみ備えるものとしても実施できる。但し接地用端子台ｔの一般的な大きさや接続される一般的な端子の寸法によって、ネジ穴３を１０個以内とするのが最適である。尚ネジ穴３を１０個以内に限定するものではない。
また基板１の脚部４についても図１（Ｂ）や図１（Ｄ）へ示すように２つや４つ備えたものに限定するものではなく、２つ以上の他の個数備えるものとしても実施できる。
図１（Ｂ）（Ｄ）へ示す脚部５は真っすぐ基板１の下方に伸びるものであるが、上記筐体への固定面を大きくするため脚部５の先端側が屈曲するものとしてもよい（図示しない）。
【００２９】
上記各実施の形態において貫通部３０は、製造時の固定治具ｊの取り付け用の穴と、使用時にボルトを取り付けるネジ穴３の形成用の穴とを兼ねるものとした。この他、貫通部３０を上記ネジ穴３の形成専用の穴とし、製造時の固定治具ｊ取り付け用の穴を副貫通部として、上記貫通部３０と別に形成するものとしても実施できる。
【００３０】
尚、接地用端子台ｔの上記筐体への取り付け位置は、筐体の底に限定するものではなく、筐体の底以外の位置へ取り付けるものとしてもよい。接地用端子台ｔついての上下、例えば上面・下面などの表現は、筐体の底に接地用端子台ｔを取り付けることを基準に各部の相対的な位置関係を示すものに用いたものであり、絶対的な位置関係、例えば下方は必ず重力の作用する方向とすることを意味するものではない。
【００３１】
（まとめ）
この接地用端子台ｔは、帯電した電流を逃がす目的として使用されるものである。使用において、接地用端子台ｔは、上記筐体内側にて主に上記筐体の底に溶接にて固定される。
銅製の接続板２の役割は電流を受けることであり、足即ち基板１の役割は電流を流すことであるが、基板１は筐体に溶接された後、必要に応じて塗装される役割もある。
本発明を実施することにより、特に次の各メリットがある。
即ち、ロウ材のリングが全周に溶けるため確実に溶着される。また、焼け焦げないため接続板２及び鉄製の基板１の形状に変化なく形状が安定する。更に水素炉で溶接することによって、生産数が大幅にアップする。
尚、メッキ加工については、需要者のニーズに対応したり、長期で在庫管理する目的で実施すればよい。メッキ加工を行った場合、必要に応じて、再度タップ加工を行えばよい。
【００３２】
線材として形成されたロウ材をバーナーで炙ることにて偏ったロウ付けを行っていた従来の製造方法と異なり、本発明では、水素炉による溶接で専用のリングとして形成されたロウ材を用いることにより、基板１と接続板２間において偏りなく個々の貫通孔３１の全周が溶接（ろう付け）されるため基板１から接続板２が分離することが無くなった。このため、使用時にボルトを基板１と接続板２の双方へ螺合する必要がなくなり、基板１と接続板２の双方へタップ加工する必要がなくなった。従って接続板２の貫通穴３２のみにタップ加工を施せばよい。その結果、基板１の貫通孔３１の径を上記貫通穴３２よりも大きなものとすることができ、図３（Ｂ）の固定治具ｊの取り付けが行える。
また本発明の実施により、従来のロウ付けで必要とされたタップ加工やメッキの工程を減らすことができるので、大きなコストダウンも図れる。
【符号の説明】
【００３３】
１      基板
２      接続板
３      ネジ穴
４      板部
５      脚部
６      ロウ付け部分
３０      貫通部
３１      貫通孔
３２      貫通穴
６０      ロウ材
６１    （ロウ材６０の）中空部分
ｊ      固定治具
ｊ１  （固定治具ｊの）軸部
ｊ２  （固定治具ｊの）頭部
ｋ      組上品
ｍ      加熱炉
ｎ      コンベア
ｐ      一体品
ｔ      接地用端子台
【図１】
2018039020.tif 000003
【図２】
2018039020.tif 000004
【図３】
2018039020.tif 000005
【図４】
2018039020.tif 000006
【図５】
2018039020.tif 000007